【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
機器の各種機能の状態を視覚的に識別し易いアイコン画像として表示画面の所定の表示位置に表示するようにした通信装置において、
前記通信装置は、表示部と、表示メモリと、アイコン表示制御部と、カスタマイズデータ記憶部と、カスタマイズ処理部と、表示位置選択部と、を備え、
前記カスタマイズデータ記憶部には、前記各種機能の状態を表示する各アイコン画像を予め複数の異なるアイコン画像データとして記憶するとともに、各種機能の状態を表示する各アイコン画像ごとの前記表示部における表示位置を予め複数の異なるアイコン画像表示位置データとして記憶し、前記カスタマイズ処理部は前記カスタマイズデータ記憶部に記憶された複数のアイコン画像データから、利用者が設定したアイコン画像データを選択し、前記表示位置選択部は前記カスタマイズデータ記憶部に記憶されたアイコン画像表示位置データから、利用者が設定したアイコン画像表示位置データを選択し、前記アイコン表示制御部は前記アイコン画像表示位置データに基づいて前記カスタマイズ処理部が選択したアイコン画像データを表示メモリに展開し、前記表示部に表示することを特徴とする通信装置。
【請求項２】
前記各種機能の状態を表示する各アイコン画像を予め複数の異なるアイコン画像データとしてカスタマイズデータ記憶部に記憶するアイコン画像データには、画像形状が同一でサイズが異なるアイコン画像データを含むことを特徴とする請求項１に記載の通信装置。
【請求項３】
前記通信装置は、更に、時計部を備え、
前記表示位置選択部は、前記時計部により所定時間経過したことが検出されると、前記カスタマイズデータ記憶部に記憶された複数の異なるアイコン画像表示位置データから順次異なるアイコン画像表示位置データを選択することを特徴とする請求項１または請求項２に記載の通信装置。
【請求項４】
前記表示位置選択部は、前記時計部により所定時間経過したことが検出されると、前記カスタマイズデータ記憶部に記憶された複数の異なるアイコン画像表示位置データからサイズの異なるアイコン画像表示位置データを選択することを特徴とする請求項３に記載の通信装置。
【請求項５】
前記通信装置は、更に、時計部を備え、
前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択することを特徴とする請求項１または請求項２に記載の通信装置。
【請求項６】
前記表示位置選択部は、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択することを特徴とする請求項５に記載の通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、機器の各種状態を視覚的に識別し易いアイコンとして表示画面の所定の表示位置に表示するようにした通信装置に関するものであり、特に、利用者の嗜好に合わせて表示するアイコン画像をカスタマイズするとともに、液晶表示ユニットにおける劣化を抑制するようにした通信装置に関するものである。
【手続補正４】
【補正対象書類名】明細書
【補正対象項目名】００１７
【補正方法】変更
【補正の内容】
【００１７】
請求項１に記載の通信装置は、機器の各種機能の状態を視覚的に識別し易いアイコン画像として表示画面の所定の表示位置に表示するようにした通信装置において、前記通信装置は、表示部と、表示メモリと、アイコン表示制御部と、カスタマイズデータ記憶部と、カスタマイズ処理部と、表示位置選択部と、を備え、
前記カスタマイズデータ記憶部には、前記各種機能の状態を表示する各アイコン画像を予め複数の異なるアイコン画像データとして記憶するとともに、各種機能の状態を表示する各アイコン画像ごとの前記表示部における表示位置を予め複数の異なるアイコン画像表示位置データとして記憶し、前記カスタマイズ処理部は前記カスタマイズデータ記憶部に記憶された複数のアイコン画像データから、利用者が設定したアイコン画像データを選択し、前記表示位置選択部は前記カスタマイズデータ記憶部に記憶されたアイコン画像表示位置データから、利用者が設定したアイコン画像表示位置データを選択し、前記アイコン表示制御部は前記アイコン画像表示位置データに基づいて前記カスタマイズ処理部が選択したアイコン画像データを表示メモリに展開し、前記表示部に表示することを特徴とする。
【手続補正５】
【補正対象書類名】明細書
【補正対象項目名】００１８
【補正方法】変更
【補正の内容】
【００１８】
請求項２に記載の発明は、前記各種機能の状態を表示する各アイコン画像を予め複数の異なるアイコン画像データとしてカスタマイズデータ記憶部に記憶するアイコン画像データには、画像形状が同一でサイズが異なるアイコン画像データを含むことを特徴とする。
【手続補正６】
【補正対象書類名】明細書
【補正対象項目名】００１９
【補正方法】変更
【補正の内容】
【００１９】
請求項３に記載の発明は、更に、時計部を備え、前記表示位置選択部は、前記時計部により所定時間経過したことが検出されると、前記カスタマイズデータ記憶部に記憶された複数の異なるアイコン画像表示位置データから順次異なるアイコン画像表示位置データを選択することを特徴とする。
【手続補正７】
【補正対象書類名】明細書
【補正対象項目名】００２０
【補正方法】変更
【補正の内容】
【００２０】
請求項４に記載の発明は、前記表示位置選択部は、前記時計部により所定時間経過したことが検出されると、前記カスタマイズデータ記憶部に記憶された複数の異なるアイコン画像表示位置データからサイズの異なるアイコン画像表示位置データを選択することを特徴とする。
【手続補正８】
【補正対象書類名】明細書
【補正対象項目名】００２１
【補正方法】変更
【補正の内容】
【００２１】
請求項５に記載の発明は、更に、時計部を備え、前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択することを特徴とする。
【手続補正９】
【補正対象書類名】明細書
【補正対象項目名】００２２
【補正方法】変更
【補正の内容】
【００２２】
請求項６に記載の発明は、前記表示位置選択部は、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択することを特徴とする。
【手続補正１０】
【補正対象書類名】明細書
【補正対象項目名】００２５
【補正方法】変更
【補正の内容】
【００２５】
また、請求項２にかかる発明においては、請求項１にかかる通信装置において、前記各種機能の状態を表示する各アイコン画像を予め複数の異なるアイコン画像データには、画像形状が同一でサイズが異なるアイコン画像データを含む。
【手続補正１１】
【補正対象書類名】明細書
【補正対象項目名】００２７
【補正方法】変更
【補正の内容】
【００２７】
また、本願の請求項３にかかる発明においては、請求項１または請求項２にかかる通信装置において、通信装置は、更に、時計部を備え、前記表示位置選択部は、前記時計部により所定時間経過したことが検出されると、前記カスタマイズデータ記憶部に記憶された複数の異なるアイコン画像表示位置データから順次異なるアイコン画像表示位置データを選択する。
【手続補正１２】
【補正対象書類名】明細書
【補正対象項目名】００２９
【補正方法】変更
【補正の内容】
【００２９】
また、本願の請求項４にかかる発明においては、請求項３にかかる通信装置において、表示位置選択部は、前記時計部により所定時間経過したことが検出されると、前記カスタマイズデータ記憶部に記憶された複数の異なるアイコン画像表示位置データからサイズの異なるアイコン画像表示位置データを選択する。
【手続補正１３】
【補正対象書類名】明細書
【補正対象項目名】００３１
【補正方法】変更
【補正の内容】
【００３１】
また、本願の請求項５にかかる発明においては、請求項１または請求項２にかかる通信装置において、前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択する。
【手続補正１４】
【補正対象書類名】明細書
【補正対象項目名】００３３
【補正方法】変更
【補正の内容】
【００３３】
また、本願の請求項６にかかる発明においては、請求項５にかかる通信装置において、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択する。